(57)【要約】【課題】  木造軸組構造等において、開閉面積を大きくすることができると共に、外枠と内枠と耐震補強枠とをコンパクトに取り付けできて施工性が良好で、且つ引戸障子と内枠に透光パネルを取り付けることで一方側躯体開口部及び他方側躯体開口部の両方を採光部として使用できる耐震サッシを提供する。【解決手段】  本発明の耐震サッシ１において、外枠３は一方側躯体開口部１１の一方側端柱１５の室外側面と、他方側躯体開口部の他方側柱１９の室外側面に跨って固定してあり、内枠５は左右柱１５、１７の内周面間に配置し、補強枠７は左右の取付材３７、３９と、左右の取付材に架設するブレス材４１とから構成してあり、中竪枠９は柱１７の室外側面に固定し且つ外枠３の上下枠２１、２３に連結してあると共に引戸障子２７の戸尻側框に重合自在であり、内枠５の室外側を外枠３の室内側に連結してあり、取付材３７、３９の室外側を内枠５の室内側に連結してある。【選択図】      図１
2005139884.tif 000002
【特許請求の範囲】
【請求項１】
外枠と、外枠の室内側に設けた内枠と、補強枠と、中竪枠とを備え、外枠は左右方向の一方側に位置する一方側躯体開口部の一方側端部に位置する柱の室外側面と、一方側躯体開口部に隣接する他方側躯体開口部の他方側端部に位置する柱の室外側面に跨って固定する外付けサッシまたは半外付けサッシであり且つ引戸障子が走行するものであり、内枠は一方側躯体開口部を構成する左右柱の内周面間に配置し、補強枠は内枠の室内側で一方側躯体開口部を構成する左右柱に各々固定する左右の取付材と、左右の取付材に架設するブレス材とから構成してあり、中竪枠は一方側躯体開口部の他方側端部に位置する柱の室外側面に固定し且つ外枠の上下枠に連結してあると共に外枠を走行する引戸障子の戸尻側框に重合自在であり、内枠の室外側を外枠の室内側に連結してあり、取付材の室外側を内枠の室内側に連結してあることを特徴とする耐震サッシ。
【発明の詳細な説明】
【技術分野】
【０００１】
本発明は、耐震サッシに関する。
【背景技術】
【０００２】
特許文献１には、躯体開口部内の左右方向の一方側と他方側との全体に亘って外枠を設け、外枠には引戸障子が走行するようになっており、躯体開口部内の左右の一方側に位置する内枠を外枠の室内側に設けたサッシが開示されている。
特許文献２には、内枠の室外側にブレス材を設けて耐震補強枠とすることが開示されている。
【０００３】
【特許文献１】特開平４−２３７７８７号公報
【特許文献２】特開２００２−２７６０５０号公報
【発明の開示】
【発明が解決しようとする課題】
【０００４】
特許文献１のサッシを取り付けた躯体開口部の柱間に特許文献２の耐震補強枠を取り付けた場合は、ブレス材が開口部を塞いでしまうので、引戸障子を開いても出入できない。
また、特許文献１のサッシを取り付けた躯体開口部において内枠の室外側または室内側に特許文献２の耐震補強枠を取り付けた場合、耐震補強枠の左右が柱で支持されていないので、耐震補強効果を十分に奏することができない。
そして、仮に木造軸組構造等における一方側躯体開口部に特許文献１のサッシを取り付け、一方側躯体開口部に隣接する他方側躯体開口部に特許文献２の耐震補強枠を取り付けた場合、一方側躯体開口部では内枠の分だけ引戸の開閉面積が小さくなってしまうという問題がある。
【０００５】
そこで、本発明は、柱で区画された躯体開口部が隣接する木造軸組構造等において、一方側躯体開口部における引戸の開閉面積を大きくすることができると共に、外枠と内枠と耐震補強枠とをコンパクトに取り付けできて施工性が良好で、且つ引戸障子と内枠に透光パネルを取り付けることで一方側躯体開口部及び他方側躯体開口部の両方を採光部として使用できる耐震サッシの提供を目的とする。
【課題を解決するための手段】
【０００６】
請求項１に記載の発明は、外枠と、外枠の室内側に設けた内枠と、補強枠と、中竪枠とを備え、外枠は左右方向の一方側に位置する一方側躯体開口部の一方側端部に位置する柱の室外側面と、一方側躯体開口部に隣接する他方側躯体開口部の他方側端部に位置する柱の室外側面に跨って固定する外付けサッシまたは半外付けサッシであり且つ引戸障子が走行するものであり、内枠は一方側躯体開口部を構成する左右柱の内周面間に配置し、補強枠は内枠の室内側で一方側躯体開口部を構成する左右柱に各々固定する左右の取付材と、左右の取付材に架設するブレス材とから構成してあり、中竪枠は一方側躯体開口部の他方側端部に位置する柱の室外側面に固定し且つ外枠の上下枠に連結してあると共に外枠を走行する引戸障子の戸尻側框に重合自在であり、内枠の室外側を外枠の室内側に連結してあり、取付材の室外側を内枠の室内側に連結してあることを特徴とする。
【発明の効果】
【０００７】
請求項１に記載の発明によれば、柱で一方側躯体開口部と他方側躯体開口部とが区画された木造軸組構造等において、補強枠は一方側躯体開口部の左右柱間に固定しているので、耐震補強効果を十分に奏することができる。
外枠は内枠の室外側に設け、補強枠は内枠の室内側に設けているので、外枠と内枠と補強枠とからなる耐震サッシ全体をコンパクトに取り付けできる。
外枠と内枠とはあらかじめ連結して施工することもできるので施工性が良い。
一方側躯体開口部に内枠を設け、一方側躯体開口部と他方側躯体開口部とに跨って外枠を設けているので、他方側躯体開口部の全部を引戸の開口にすることができるから、引戸の開閉面積を広くとることができる。
引戸障子と内枠に透光パネルを取り付けた場合には、一方側躯体開口部及び他方側躯体開口部の両方を採光部として使用できる。
一方側躯体開口部及び他方側躯体開口部の室外側に跨って設けた外枠の上枠と一方側躯体開口部の内周面に設けた内枠の上枠とを一本の形材で構成した場合や同様に外枠の下枠と内枠の下枠とを一本の形材で構成した場合には、それぞれの形材には柱を避けるために切欠きを必要とするが、本発明の外枠の上下枠は、内枠と別部材にして一方側躯体開口部及び他方側躯体開口部を構成する柱の室外側面に固定しているので、上述したような柱を避けるための切欠きを設けなくて済む。したがって、この点においても施工性が良い。
内枠に収めたパネルが風圧荷重（負圧）を受けた場合に内枠には柱との接合部を中心とした回転力が働いて内枠がねじり変形し、パネルを損傷するおそれがあるが、本発明では内枠は補強枠に連結してあるので、内枠のねじれ変形やパネルの損傷を防止できる。
外枠が風圧荷重（負圧）を受けた場合にも、外枠は内枠を介して補強枠に連結されているので、外枠のねじれ変形が防止できる。
【発明を実施するための最良の形態】
【０００８】
以下に、添付図面を参照して本発明の実施の形態を説明する。図１は第１実施の形態にかかる耐震サッシの横断面図であり、図２は図１に示す耐震サッシのＡ―Ａ縦断面図であり、図３は図１に示す耐震サッシのＢ―Ｂ縦断面図であり、図４は図１に示す耐震サッシにおいて網戸を除いたものを室外側から見た正面図である。
本実施の形態にかかる耐震サッシ１は、外枠３と、内枠５と、補強枠７と、中竪枠９とを備えている。
外枠３は左右方向の一方側躯体開口部１１と、一方側躯体開口部に隣接する他方側躯体開口部１３との室外側で且つ一方側躯体開口部１１と他方側躯体開口部１３とに跨って設けた外付けサッシである。
尚、一方側躯体開口部１１は一方側端部に位置する柱（一方側柱）１５と、一方側躯体開口部１１の他方側端部に位置する柱（中柱）１７と、梁２４と、台２６とで構成されており、他方側躯体開口部１３は他方側端部に位置する柱（他方側柱）１９と、中柱１７と、梁２４と、台２６とで構成されている。
外枠３の一方の竪枠２０は一方側柱１５の室外側面に固定されており、他方の竪枠２２は他方側柱１９の室外側面に固定されている。外枠３の上枠２１と下枠２３は一方側躯体開口部１１と他方側躯体開口部１３とに跨っており、一方の竪枠２０と他方の竪枠２２とに連結されている共に、上枠２１は梁２４の室外側面に固定されており、下枠２３は台２６の室外側面に固定されている。
更に、外枠３の上枠２１では、室内側部２１ａが内枠５の上枠２９の室外側部２９ｂにネジ３３で固定してあり、下枠２３では室内側部２３ａが内枠５の下枠３１の室外側部３１ｂにネジ３５で固定してある。尚、外枠３には引戸障子２７の室外側に網戸２８が走行する網戸レール３０が設けられており、引戸障子２７には、透光パネルが取り付けられている。
内枠５は、本実施の形態では嵌め殺し枠であり、左右方向の一方側躯体開口部１１で、一方側柱１５と中柱１７との内周面間に設けてある。内枠５には透光パネル５ｃが取り付けられている。
補強枠７は、内枠５の室内側に設けており、一方側取付材３７と、他方側取付材３９と、ブレス材４１とを備えている。一方側取付材３７は一方側躯体開口部１１における一方側柱１５の内周側面に固定されており、他方側取付材３９は一方側躯体開口部１１における中柱１７の内周側面に固定されている。一方側取付材３７と他方側取付材３９とはそれぞれ柱固定部４３と、ブレス固定部４５とを備え、柱固定部４３とブレス固定部４５とをボルト４７で軸着している。ブレス材４１は２本あり、一方側及び他方側取付材３７、３９の上下２箇所にねじ止めしてＸ字状に架設してある。
また、補強枠７の一方側及び他方側取付材３７、３９には、内枠５の竪枠５ａ、５ｂ夫々がネジ４９により固定されている。
中竪枠９は中柱１７の室外側面に固定してあり且つクレセント２５が取り付けられている。中竪枠９は外枠３を走行する引戸障子２７の戸尻側框３２に重合自在であり、中竪枠９が戸尻側框３２に重合した位置で、クレセント２５が室内側からの操作により外枠３内を走行する引戸障子２７の戸尻側框３２に係合可能になっている。また、中竪枠９の上部は外枠３の上枠２１に、中柱１７の室外側面に設けたブラケット６１で連結してあり、中竪枠９の下部は外枠３の下枠２３に、中柱１７の室外側面に設けたブラケット６３で連結している。
尚、中柱１７の室外側面には、柱カバー６５が取り付けられている。
【０００９】
次に、本実施の形態にかかる耐震サッシ１の施工及び、作用及び効果について説明する。耐震サッシ１の施工は、一方側柱１５、中柱１７及び他方側柱１９で一方側躯体開口部１１と他方側躯体開口部１３とが区画された木造軸組構造等において、あらかじめ外枠３と内枠５とを連結しておき、中柱１７の室外側面に中竪枠９を取り付けた後、一方側側躯体開口部１１と他方側側躯体開口部１３に亘って外枠３を外付けすると共に一方側躯体開口部１１に内枠５を取り付け、内枠５の室内側には補強枠７を取り付ける。
補強枠７は、内枠５を設けてある一方側躯体開口部１１の一方側柱１５と中柱１７間に固定しているので、内枠５の耐震強度を満たすことができる。
内枠５の室外側に外枠３を設け、内枠５の室内側に補強枠７を設けているので、耐震サッシ１全体をコンパクトに取り付けできる。
外枠３と内枠５はあらかじめ連結して施工できるので施工性が良い。
一方側躯体開口部１１に内枠５を設け、一方側躯体開口部１１と他方側躯体開口部１３とに跨って外枠３を設けているので、他方側躯体開口部１３の全部を引戸の開口にすることができるから、引戸の開閉面積を広くとることができる。
引戸障子２７と内枠５のパネル５ｃは透光パネルとしてあるので、一方側躯体開口部１１及び他方側躯体開口部１３の両方を採光部として使用でき、採光面積を広くとることができる。
内枠５の室外側に外枠３を設けると共に、内枠５の室内側に補強枠７を設けているので、補強枠７は外枠３内を走行する引戸障子２７の邪魔にならずに設けることができる。
外枠３は内枠５の室外側に設け、補強枠７は内枠５の室内側に設けているので、外枠３と補強枠７とはそれぞれ内枠５の異なる側から同時に施工することもできるので、組立性及び施工性が良く且つ補強枠７の後付けも容易にできる。
補強枠７は、一方側躯体開口部１１を構成する一方側柱１５に固定する一方側取付材３７と中柱１７に固定する他方側取付材３９にブレス材４１を架設する構成であるから、補強枠７の構成が簡易であると共に施工が容易である。
外枠３の上枠２１と内枠の上枠２９とを一本の形材とした場合や外枠３の下枠２３と内枠の下枠３１とを一本の形材とした場合には、上枠や下枠に中柱１７を避けるための切欠きが必要となるが、外枠３の上枠２１は内枠５の上枠２９と別部材にし且つ外枠３の下枠２３も内枠５の下枠３１と別部材にして両者をねじで連結しているので、中柱１７を避けるための切欠きを設けなくて済む。
内枠５は補強枠７に連結してあるので、内枠５の取り付け強度を高めることができる。また、内枠５に収めたパネル５ｃが風圧荷重（負圧）を受けた場合に、内枠５には一方側柱１５（又は中柱１７）との接合部５ｅを中心とした回転力が働いて内枠５がねじり変形することによりパネルを損傷するおそれがあるが、本発明では内枠５は補強枠７に連結してあるので、内枠５のねじれ変形やパネルの損傷を防止できる。
外枠３が風圧荷重（負圧）を受けた場合にも、外枠３は内枠５を介して補強枠７に連結されているので、外枠３のねじれ変形が防止できる。
【００１０】
次に、図５を参照して本発明の第２実施の形態について説明するが、以下に説明する実施の形態では、上述した第１実施の形態と同一の作用効果を奏する部分には、同一の符号を付することによりその部分の説明を省略し、第１実施の形態と主に異なる点について説明する。尚、図５の（ａ）は第２実施の形態にかかる耐震サッシを室外側から見た正面図であり、（ｂ）は（ａ）に示す耐震サッシの横断面図である。
この第２実施の形態では、外枠３には２枚の引戸障子２７を設けて両開きとしてあると共に、他方側躯体開口部１３には、中柱１７と他方側柱１９との間に第２中柱５１が設けてあり、第２中柱５１と他方側柱１９とで構成される躯体開口部５３には一方側躯体開口部１１と同様に内枠（第２内枠）５５が固定してあり、第２内枠５５の室内側に補強枠（第２補強枠）５７が固定してある。第２内枠５５は上述した内枠５と同じ構成であり、第２補強枠５７も上述した補強枠７と同じ構成で且つ他方側柱１９と第２中柱５１に、内枠５と補強枠７を一方側柱１５と中柱１７に固定してあるのと同様に固定されている。
第２中柱５１には、中柱１７と同様にクレセント２５が取り付けられた中竪枠９が固定されており、中柱１７と第２中柱５１に各々固定した中竪枠９には外枠３の上枠２１と下枠２３とが固定されている。
この第２実施の形態では、一方の引戸障子２７は内枠５側に移動して開き、他方の引戸障子５９は第２内枠５５側に移動して開くようになっている。この第２実施の形態によれば、上述した第１実施の形態と同様な作用効果を得られると共に、引戸障子２７、５９を両開きとしてあるので引戸の開口を広く取ることができる。
【００１１】
本発明は、上述した実施の形態に限らず、本発明の要旨を逸脱しない範囲で種々変形可能である。
例えば、補強枠７のブレス材４１は、２本のブレス材４１を一組として一方側取付材３７と他方側取付材３９にＸ字状に取り付けることに限らず、複数組のＸ字状のブレス材４１を上下に設けるものであってもよい。
補強枠７は、四周枠組したものであっても良い。
一方側取付材３７と他方側取付材３９は一方側躯体開口部１１を構成する一方側柱１５と中柱１７との内周面に固定することに限らず、内周面から室内側にはみ出して取り付けたり、各柱１５、１７の室内側面に固定するものであってもよい。
外枠３は、一方側柱１５と他方側柱１９との外面よりもやや外側に張り出して取り付けた半外付けサッシであってもよい。
外枠３と内枠５はあらかじめ連結して施工することに限らず、別個に施工した後に連結するものであってもよい。
内枠５は、嵌め殺し枠に限らず、固定又は可動のルーバ枠や上げ下げ窓枠であってもよい。
中竪枠９にクレセント５を設けないで、引戸障子２７の戸先側框に錠を設けて他方の竪枠２２に施錠するようにしても良い。
【図面の簡単な説明】
【００１２】
【図１】第１実施の形態にかかる耐震サッシの横断面図である。
【図２】図１に示す耐震サッシのＡ―Ａ縦断面図である。
【図３】図３は図１に示す耐震サッシのＢ―Ｂ縦断面図であり、
【図４】図１に示す耐震サッシにおいて網戸を除いたものを室外側から見た正面図である。
【図５】第２実施の形態にかかる耐震サッシの図であり、（ａ）は室外側から見た正面図であり、（ｂ）は（ａ）の横断面図である。
【符号の説明】
【００１３】
１      耐震サッシ
３      外枠
５      内枠
７      補強枠
９      中竪枠
１１    一方側躯体開口部
１３    他方側躯体開口部
１５    一方側柱
１７    中柱
１９    他方側柱
２１    上枠
２３    下枠
２７    引戸障子
３２    戸尻側框
３７    一方側取付材
３９    他方側取付材
４１    ブレス材
【図１】
2005139884.tif 000003
【図２】
2005139884.tif 000004
【図３】
2005139884.tif 000005
【図４】
2005139884.tif 000006
【図５】
2005139884.tif 000007